【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、
前記干渉光検出手段による１フレーム分の走査において得られた検出結果から前記被測定物体の断層画像を形成する断層画像形成手段と、
を備えた光画像計測装置であって、
前記形成された断層画像の画像状態を基に前記断層画像の異常を検出する異常検出手段をさらに備え、
前記断層画像形成手段は、前記干渉光検出手段による１フレーム分の前記干渉光の検出結果が得られる毎に順次断層画像を形成し、
前記異常検出手段は、所定フレーム分の前記断層画像が得られる度毎に前記異常検出を行い、
前記異常が検出されたときに、前記干渉光検出手段は、前記ガルバノミラーの向きの変更を停止し、前記停止した前記向きから前記干渉光の検出を再度開始する、
ことを特徴とする光画像計測装置。
【請求項２】
前記異常検出手段は、前記断層画像に描出されている前記被測定物体の位置を基に異常検出を行うことを特徴とする請求項１に記載の光画像計測装置。
【請求項３】
光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、
前記干渉光検出手段による１フレーム分の走査によって得られた検出結果から前記被測定物体の断層画像を形成する断層画像形成手段と、
を備えた光画像計測装置であって、
前記干渉光検出手段は、順次前記ガルバノミラーの向きを変更させながら前記干渉光の検出を行い、
前記断層画像形成手段は、前記干渉光検出手段による前記干渉光の検出と並行して、１フレーム分の検出結果が得られる度毎に断層画像の形成を行う、
ことを特徴とする光画像計測装置。
【請求項４】
前記形成された断層画像の画像状態を基に前記断層画像の異常を検出する異常検出手段、をさらに備え、
前記干渉光検出手段は、前記異常が検出されたときに、前記干渉光の検出を停止する、
ことを特徴とする請求項３に記載の光画像計測装置。
【請求項５】
前記異常検出手段は、前記断層画像に描出されている前記被検眼の位置を基に異常検出を行うことを特徴とする請求項４に記載の光画像計測装置。
【請求項６】
前記異常検出手段は、所定フレーム数毎に前記異常検出を行うことを特徴とする請求項４又は請求項５に記載の光画像計測装置。
【請求項７】
前記異常検出手段は、前記異常が検出されたフレームの前及び後のそれぞれの所定枚数のフレームそれぞれについて前記異常検出を行い、
前記干渉光検出手段は、前記異常が検出された前記フレームが少なくとも前記所定枚数連続しているときに、前記干渉光の検出を停止する、
ことを特徴とする請求項６に記載の光画像計測装置。
【請求項８】
前記異常が検出された前記断層画像に対応する前記走査を行ったときの前記ガルバノミラーの向きを求める取得手段をさらに備え、
前記異常が検出されたときに、前記干渉光検出手段は、前記求められた向きに前記ガルバノミラーの向きを変更して前記干渉光の検出を再度開始する、
ことを特徴とする請求項４乃至請求項７のいずれか一つに記載の光画像計測装置。
【請求項９】
前記取得手段は、前記異常が検出された前記断層画像から前記異常が検出された時点における前記断層画像までのフレーム数を取得し、前記異常が検出された時点におけるフレームから前記取得されたフレーム数前の前記断層画像における前記ガルバノミラーの向きを求める、
ことを特徴とする請求項８に記載の光画像計測装置。
【請求項１０】
前記被測定物体は眼底であり、
前記干渉光検出手段による干渉光の検出中に眼底画像を所定のフレームレートで取得する撮像手段をさらに備え、
前記取得手段は、前記異常が検出された前記断層画像の干渉光の検出を行った時点での前記眼底画像を基に、前記異常が検出された断層画像の前記眼底画像における位置を取得し、現在の前記眼底画像における前記取得された位置に対応する位置を特定し、前記特定された位置の走査を行うように前記ガルバノミラーの向きを求める、
ことを特徴とする請求項８に記載の光画像計測装置。
【請求項１１】
光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、
前記干渉光検出手段による１フレーム分の走査によって得られた検出結果から前記被測定物体の断層画像を形成する断層画像形成手段と、
前記形成された断層画像の画像状態を基に前記断層画像の異常を検出する異常検出手段と、
を備えた光画像計測装置の制御方法であって、
前記干渉光の検出を行う検出段階と、
前記フレーム単位で前記断層画像の形成を行う断層画像形成段階と、
所定フレーム分の前記断層画像が得られる度毎に前記異常の検出を行う異常検出段階と、
前記異常が検出された場合、
前記ガルバノミラーの駆動を停止するガルバノミラー停止段階と、
停止した前記ガルバノミラーの前記向きから前記検出段階を再開する段階と、
を有することを特徴とする光画像計測装置の制御方法。
【請求項１２】
光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、
前記干渉光検出手段による１フレーム分の走査によって得られた検出結果から前記被測定物体の断層画像を形成する断層画像形成手段と、
を備えた光画像計測装置の制御方法であって、
順次前記ガルバノミラーの向きを変更させながら前記干渉光の検出を行う干渉光検出段階と、
前記干渉光検出段階において１フレーム分の検出結果が得られる毎に前記断層画像の形成を行う断層画像形成段階と、を有し、
前記干渉光検出段階は連続して前記検出を行い、
前記画像形成段階は前記干渉光検出段階と並行して実施される、
ことを特徴とする光画像計測装置の制御方法。
【手続補正２】
【補正対象書類名】明細書
【補正対象項目名】００１３
【補正方法】変更
【補正の内容】
【００１３】
上記目的を達成するために、請求項１に記載の光画像計測装置は、光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、前記干渉光検出手段による１フレーム分の走査において得られた検出結果から前記被測定物体の断層画像を形成する断層画像形成手段と、を備えた光画像計測装置であって、前記形成された断層画像の画像状態を基に前記断層画像の異常を検出する異常検出手段をさらに備え、前記断層画像形成手段は、前記干渉光検出手段による１フレーム分の前記干渉光の検出結果が得られる毎に順次断層画像を形成し、前記異常検出手段は、所定フレーム分の前記断層画像が得られる度毎に前記異常検出を行い、前記異常が検出されたときに、前記干渉光検出手段は、前記ガルバノミラーの向きの変更を停止し、前記停止した前記向きから前記干渉光の検出を再度開始する、ことを特徴とするものである。
【手続補正３】
【補正対象書類名】明細書
【補正対象項目名】００１５
【補正方法】変更
【補正の内容】
【００１５】
請求項３に記載の光画像計測装置は、光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、前記干渉光検出手段による１フレーム分の走査によって得られた検出結果から前記被測定物体の断層画像を形成する断層画像形成手段と、を備えた光画像計測装置であって、前記干渉光検出手段は、順次前記ガルバノミラーの向きを変更させながら前記干渉光の検出を行い、前記断層画像形成手段は、前記干渉光検出手段による前記干渉光の検出と並行して、１フレーム分の検出結果が得られる度毎に断層画像の形成を行う、ことを特徴とするものである。
【手続補正４】
【補正対象書類名】明細書
【補正対象項目名】００１９
【補正方法】変更
【補正の内容】
【００１９】
請求項７に記載の発明は、請求項６に記載の光画像計測装置であって、前記異常検出手段は、前記異常が検出されたフレームの前及び後のそれぞれの所定枚数のフレームそれぞれについて前記異常検出を行い、前記干渉光検出手段は、前記異常が検出された前記フレームが少なくとも前記所定枚数連続しているときに、前記干渉光の検出を停止する、ことを特徴とするものである。
【手続補正５】
【補正対象書類名】明細書
【補正対象項目名】００２０
【補正方法】変更
【補正の内容】
【００２０】
請求項８に記載の発明は、請求項４乃至請求項７のいずれか一つに記載の光画像計測装置であって、前記異常が検出された前記断層画像に対応する前記走査を行ったときの前記ガルバノミラーの向きを求める取得手段をさらに備え、前記異常が検出されたときに、前記干渉光検出手段は、前記求められた向きに前記ガルバノミラーの向きを変更して前記干渉光の検出を再度開始する、ことを特徴とするものである。
【手続補正６】
【補正対象書類名】明細書
【補正対象項目名】００２２
【補正方法】変更
【補正の内容】
【００２２】
請求項１０に記載の発明は、請求項８に記載の光画像計測装置であって、前記被測定物体は眼底であり、前記干渉光検出手段による干渉光の検出中に眼底画像を所定のフレームレートで取得する撮像手段をさらに備え、前記取得手段は、前記異常が検出された前記断層画像の干渉光の検出を行った時点での前記眼底画像を基に、前記異常が検出された断層画像の前記眼底画像における位置を取得し、現在の前記眼底画像における前記取得された位置に対応する位置を特定し、前記特定された位置の走査を行うように前記ガルバノミラーの向きを求める、ことを特徴とするものである。
【手続補正７】
【補正対象書類名】明細書
【補正対象項目名】００２３
【補正方法】変更
【補正の内容】
【００２３】
請求項１１に記載の光画像計測装置の制御方法は、光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、前記干渉光検出手段による１フレーム分の走査によって得られた検出結果から前記被測定物体の断層画像を形成する断層画像形成手段と、前記形成された断層画像の画像状態を基に前記断層画像の異常を検出する異常検出手段と、を備えた光画像計測装置の制御方法であって、前記干渉光の検出を行う検出段階と、前記フレーム単位で前記断層画像の形成を行う断層画像形成段階と、所定フレーム分の前記断層画像が得られる度毎に前記異常の検出を行う異常検出段階と、前記異常が検出された場合、前記ガルバノミラーの駆動を停止するガルバノミラー停止段階と、停止した前記ガルバノミラーの前記向きから前記検出段階を再開する段階と、を有することを特徴とするものである。
【手続補正８】
【補正対象書類名】明細書
【補正対象項目名】００２４
【補正方法】変更
【補正の内容】
【００２４】
請求項１２に記載の光画像計測装置の制御方法は、光源からの光を信号光と参照光とに分割し、ガルバノミラーの向きを変更し被測定物体に対する前記信号光の照射位置を変更しながら前記被測定物体に対して前記信号光を走査し、前記被測定物体で反射した前記信号光と参照光路を経由した前記参照光とを重畳させて干渉光を生成し、前記干渉光を検出する干渉光検出手段と、前記干渉光検出手段による１フレーム分の走査によって得られた検出結果から前記被測定物体の断層画像を形成する断層画像形成手段と、を備えた光画像計測装置の制御方法であって、順次前記ガルバノミラーの向きを変更させながら前記干渉光の検出を行う干渉光検出段階と、前記干渉光検出段階において１フレーム分の検出結果が得られる毎に前記断層画像の形成を行う断層画像形成段階と、を有し、前記干渉光検出段階は連続して前記検出を行い、前記画像形成段階は前記干渉光検出段階と並行して実施される、ことを特徴とするものである。